(57)【特許請求の範囲】
【請求項１】
容器体（Ａ）と、ポンプ（Ｂ）とを備え、
ポンプ（Ｂ）は、容器体（Ａ）に着脱自在に装着されるとともに、容器体（Ａ）内と連通する液供給用のシリンダ（Ｂ１ｂ）を備えた固定吸引部（Ｂ１）と、固定吸引部（Ｂ１）に対して上方付勢状態で上下動可能に装着されるとともに、液供給用のシリンダ（Ｂ１ｂ）内よりノズルチップ（８０）を介して開口した噴霧孔（８１）に至る液通路を備えた可動噴出部（Ｂ２）とを備え、
可動噴出部（Ｂ２）の押し下げにより内蔵ポンプ機構の作用で吐出弁（４５）を介して噴霧孔（８１）から噴霧する如く構成した液体噴出器であって、
可動噴出部（Ｂ２）を、上記吐出弁形成用の吐出弁体及び弁座を有する本体部（Ｂ２ａ）と、本体部（Ｂ２ａ）上に着脱可能に装着された噴出ヘッド（Ｂ２ｂ）とで構成し、噴出ヘッド（Ｂ２ｂ）にメッシュ部材（９０）が装着され、このメッシュ部材が有するメッシュ（９２）を、当該噴出ヘッド内の液通路に設け、
噴出ヘッド（Ｂ２ｂ）は、下端を開口した有頂筒状をなすとともに、頂壁（７２）裏面中央部より垂設した嵌合筒（７３）内とノズルチップ（８０）の噴霧孔（８１）とを連通させたケーシング（７０）を備え、
上記メッシュ部材（９０）は、メッシュ（９２）がメッシュ支持筒（９１）に張設されて形成されるとともに、このメッシュ支持筒（９１）を上記嵌合筒（７３）に嵌着させて構成し、
ケーシング（７０）の嵌合筒（７３）に、本体部（Ｂ２ａ）上に起立した嵌着筒部（５５）を液密且つ着脱可能に嵌合されることで両者を一体化したことを特徴とする液体噴出器。
【請求項２】
メッシュ支持筒（９１）は、嵌合筒（７３）の内周面から下面にわたるＬ字状の縦断面形状を備え、メッシュ支持筒（９１）の下面に周縁部が固着されてメッシュ（９２）が張設され、本体部（Ｂ２ａ）の嵌着筒部（５５）内周に嵌合筒（７３）の外周を液密且つ着脱自在に嵌着させて本体部（Ｂ２ａ）に噴出ヘッド（Ｂ２ｂ）が嵌着された請求項１記載の液体噴出器。
【請求項３】
メッシュ支持筒（９１）は、嵌合筒（７３）の内周に設けた下向き段部（７５）に上面が係止されて嵌合筒（７３）に嵌着された円筒状をなし、メッシュ支持筒（９１）の端面に周縁部が固着されてメッシュ（９２）が張設され、本体部（Ｂ２ａ）の嵌着筒部（５５）内周に嵌合筒（７３）の外周を液密且つ着脱自在に嵌着させて本体部（Ｂ２ａ）に噴出ヘッド（Ｂ２ｂ）が嵌着された請求項１記載の液体噴出器。
【請求項４】
メッシュ支持筒（９１）は、嵌合筒（７３）の内周に設けた下向き段部（７５）に上面が係止されて嵌合筒（７３）に嵌着されたリング状をなし、メッシュ支持筒（９１）の端面に周縁部が固着されてメッシュ（９２）が張設され、本体部（Ｂ２ａ）の嵌着筒部（５５）外周に嵌合筒（７３）の内周を、嵌着筒部（５５）上面が嵌合筒（７３）下面に当接係止する状態で、液密且つ着脱自在に嵌着させて本体部（Ｂ２ａ）に噴出ヘッド（Ｂ２ｂ）が嵌着された請求項１記載の液体噴出器。
【発明の詳細な説明】
【技術分野】
【０００１】
本発明は液体噴出器に関する。
【背景技術】
【０００２】
液体噴出器として、容器体にポンプを装着したものが知られており、ポンプは、シリンダ内を摺動するピストンを備えた作動部材を上下動させることにより、作動部材上部のノズル孔より液を噴出する如く構成したものが種々提案されている。（例えば、特許文献１参照）
【０００３】
特許文献１に記載された液体噴出器は、作動部材を構成する噴霧用のヘッドに、噴霧用のノズルチップを嵌着することで液を霧状に噴霧することができる如く構成されており、作動部材を上下動させることで、内蔵ポンプ機構の作用により容器体内の液をノズルチップを介してノズル孔より噴霧する如く構成している。
【０００４】
従来のこの種の液体噴出器は、容器体に装着筒を介して着脱自在に装着し、容器体内の液を使い切った際に取り外して液の詰め替えを行うことが一般的に行われている。
【先行技術文献】
【特許文献】
【０００５】
【特許文献１】実願昭６０−１８５３７１号公報
【発明の概要】
【発明が解決しようとする課題】
【０００６】
上記した如き液の詰め替え等を行う際に容器体内に異物（ゴミ等）が侵入してしまう虞があり、その場合噴霧用のノズルチップを介してのノズル孔はその機能上径が小さくなっているため異物（ゴミ等）が詰まってしまう虞があった。
【０００７】
本発明はこの様な点に鑑みてなされたもので、液体の詰め替え等の際に容器体内に異物（ゴミ等）が侵入した場合でもノズル孔の液詰まりを防止することができ、しかも、必要に応じて簡単な操作でメッシュの清掃が可能な噴霧用の液体噴出器を提案する。
【課題を解決するための手段】
【０００８】
第１の手段として、以下の通り構成した。
即ち、容器体Ａと、ポンプＢとを備え、
ポンプＢは、容器体Ａに着脱自在に装着されるとともに、容器体Ａ内と連通する液供給用のシリンダＢ１ｂを備えた固定吸引部Ｂ１と、固定吸引部Ｂ１に対して上方付勢状態で上下動可能に装着されるとともに、液供給用のシリンダＢ１ｂ内よりノズルチップ８０を介して開口した噴霧孔８１に至る液通路を備えた可動噴出部Ｂ２とを備え、
可動噴出部Ｂ２の押し下げにより内蔵ポンプ機構の作用で吐出弁４５を介して噴霧孔８１から噴霧する如く構成した液体噴出器であって、
可動噴出部Ｂ２を、上記吐出弁形成用の吐出弁体及び弁座を有する本体部Ｂ２ａと、本体部Ｂ２ａ上に着脱可能に装着された噴出ヘッドＢ２ｂとで構成し、噴出ヘッドＢ２ｂにメッシュ部材９０が装着され、このメッシュ部材が有するメッシュ９２を、当該噴出ヘッド内の液通路に設け、
噴出ヘッドＢ２ｂは、下端を開口した有頂筒状をなすとともに、頂壁７２裏面中央部より垂設した嵌合筒７３内とノズルチップ８０の噴霧孔８１とを連通させたケーシング７０を備え、
上記メッシュ部材９０は、メッシュ９２がメッシュ支持筒９１に張設されて形成されるとともに、このメッシュ支持筒９１を上記嵌合筒７３に嵌着させて構成し、
ケーシング７０の嵌合筒７３に、本体部Ｂ２ａ上に起立した嵌着筒部５５を液密且つ着脱可能に嵌合されることで両者を一体化している。
【００１０】
第２の手段として、以下の通り構成した。即ち、前記第１の手段に於いて、メッシュ支持筒９１は、嵌合筒７３の内周面から下面にわたるＬ字状の縦断面形状を備え、メッシュ支持筒９１の下面に周縁部が固着されてメッシュ９２が張設され、本体部Ｂ２ａの嵌着筒部５５内周に嵌合筒７３の外周を液密且つ着脱自在に嵌着させて本体部Ｂ２ａに噴出ヘッドＢ２ｂが嵌着された。
【００１１】
第３の手段として、以下の通り構成した。即ち、前記第１の手段に於いて、メッシュ支持筒９１は、嵌合筒７３の内周に設けた下向き段部７５に上面が係止されて嵌合筒７３に嵌着された円筒状をなし、メッシュ支持筒９１の端面に周縁部が固着されてメッシュ９２が張設され、本体部Ｂ２ａの嵌着筒部５５内周に嵌合筒７３の外周を液密且つ着脱自在に嵌着させて本体部Ｂ２ａに噴出ヘッドＢ２ｂが嵌着された。
【００１２】
第４の手段として、以下の通り構成した。即ち、前記第１の手段に於いて、メッシュ支持筒９１は、嵌合筒７３の内周に設けた下向き段部７５に上面が係止されて嵌合筒７３に嵌着されたリング状をなし、メッシュ支持筒９１の端面に周縁部が固着されてメッシュ９２が張設され、本体部Ｂ２ａの嵌着筒部５５外周に嵌合筒７３の内周を、嵌着筒部５５上面が嵌合筒７３下面に当接係止する状態で、液密且つ着脱自在に嵌着させて本体部Ｂ２ａに噴出ヘッドＢ２ｂが嵌着された。
【発明の効果】
【００１３】
本発明によれば、噴出ヘッドＢ２ｂ内の液通路にメッシュ９２を設けているため、例えば、収納液の詰め替え時に誤って異物（ゴミ等）が侵入した場合であっても、メッシュ９２によりそれより下流への侵入を防止でき、一般に径の小さい噴霧孔８１が目詰まりする等の不都合を防止できるという利点がある。また、可動噴出部Ｂ２は、本体部Ｂ２ａに対してメッシュ９２を備えた噴出ヘッドＢ２ｂを着脱可能に構成しているため、メッシュ９２に異物（ゴミ等）が引っ掛かった場合には噴出ヘッドＢ２ｂを外してのメッシュ９２の洗浄が簡単に行える特徴がある。
【００１４】
噴出ヘッドＢ２ｂは、下端を開口した有頂筒状をなすとともに、頂壁７２裏面中央部より垂設した嵌合筒７３内とノズルチップ８０の噴霧孔８１とを連通させたケーシング７０を備え、嵌合筒７３にメッシュ９２を張設したメッシュ支持筒９１を嵌着させて構成し、ケーシング７０の嵌合筒７３に、本体部Ｂ２ａ上に起立した嵌着筒部５５を液密且つ着脱可能に嵌合することで両者を一体化した場合には、メッシュ支持筒９１及びメッシュ９２からなるメッシュ部材９０の組み付け操作がより容易に行える利点がある。また、本体部Ｂ２ａに対する噴出ヘッドＢ２ｂの着脱も極めて容易である。
【００１５】
第２の手段乃至第４の手段の場合には、上記と同様にメッシュ部材９０の組み付け操作が容易に行えるとともに、本体部Ｂ２ａに対する噴出ヘッドＢ２ｂの着脱も極めて容易である。
【００１６】
特に、第２の手段の場合には、メッシュ支持筒９１は、嵌合筒７３の内周面から下面にわたるＬ字状の縦断面形状を備え、メッシュ支持筒９１の下面に周縁部が固着されてメッシュ９２が張設されているため、本体部Ｂ２ａから外した噴出ヘッドＢ２ｂからメッシュ支持筒９１を容易に取り外してのメッシュ９２の洗浄が可能である。 
【図面の簡単な説明】
【００１７】
【図１】液体噴出器の半断面図である。（実施例１）
【図２】噴出ヘッドの半断面図である。（実施例１）
【図３】噴出ヘッドを取り外した状態の液体噴出器の半断面図である。（実施例１）
【図４】液体噴出器の要部半断面図である。（実施例２）
【図５】液体噴出器の半断面図である。（実施例３）
【発明を実施するための形態】
【００１８】
以下、本発明の形態を図面を参照して説明する。
【００１９】
図１は液体噴出器１の一例を示し、液体噴出器１は、容器体Ａと、ポンプＢとから構成されている。容器体Ａは、胴部１０より肩部１１を介して口頸部１２を起立した所謂ボトルタイプのものが使用されている。
【００２０】
ポンプＢは、固定吸引部Ｂ１と、可動噴出部Ｂ２とを備えている。
【００２１】
固定吸引部Ｂ１は、容器体Ａの口頸部１２外周に嵌合させて、容器体Ａに対して着脱自在に装着させる装着キャップＢ１ａを備え、装着キャップＢ１ａと一体に設けた液供給用のシリンダＢ１ｂを備えている。装着キャップＢ１ａは、口頸部１２外周に螺着した装着筒２１の上端より内方へフランジ状の頂板２２を延設し、頂板２２の上面より案内筒２３を起立している。また、液供給用のシリンダＢ１ｂは装着キャップＢ１ａの頂板２２内周縁より下方に一体に垂設し、上部内径を大径部３０ａに、下部内径を小径部３０ｂにそれぞれ形成し、大径部３０ａの下端部に外気導入孔３１を穿設している。また、液供給用のシリンダＢ１ｂ内下端部には吸込み弁３２を設けており、吸込み弁３２に連設した連結筒３３に吸上げパイプ３４を嵌着している。
【００２２】
可動噴出部Ｂ２は、固定吸引部Ｂ１に対して上方付勢状態で上下動可能に装着したもので、液供給用のシリンダＢ１ｂ内より吐出ヘッドの噴霧孔に至る液通路を備えており、固定吸引部Ｂ１に対する押し下げにより、ポンプに内蔵のポンプ機構の作用で噴霧孔から噴霧する如く構成している。本発明では可動噴出部Ｂ２を、本体部Ｂ２ａと、本体部Ｂ２ａ上端に着脱可能に嵌合した噴出ヘッドＢ２ｂとで構成している。
【００２３】
本体部Ｂ２ａは、ステム４０と、シリンダ部材５０と、シール部材６０とを備えている。ステム４０は、外周下部に小径のピストン４１を、外周上部に大径のピストン４２を、それぞれ突設し、吐出弁体４４ａを上端中央部に支持している。
【００２４】
図１の例では、上下端を開口した筒状のステム４０の外周下部に小径のピストン４１を、外周上部に大径のピストン４２をそれぞれ突設し、また、放射状のリブ４３を介してステム４０内部に棒体４４を支持している。棒体４４は上下をステム４０より突出して支持されており、上下端を吐出弁体４４ａとして構成している。そして、小径のピストン４１を液供給用のシリンダＢ１ｂの下部の小径部３０ｂ内周に摺動可能に嵌合させ、放射状のリブ４３下面と液供給用のシリンダＢ１ｂ内底部とに介在させたコイルスプリングｓより常時上方へ付勢させて上下動可能に装着している。
【００２５】
シリンダ部材５０は、ステム４０に対して相対上下動が可能に装着され、大径のピストン４２が摺動する大径のシリンダ５１を備え、また、吐出弁体４４ａが圧接閉塞する吐出口５２を備えている。図１の例では、大径のピストン４２が摺動する大径のシリンダ５１を頂板部５３の周縁より下方へ垂設し、頂板部５３の中央に開口した吐出口５２に吐出弁体４４ａを圧接閉塞して吐出口５２と吐出弁体４４ａとで吐出弁４５を構成している。また、吐出口５２周囲の頂板部５３裏面からは隙間調整筒５４を垂設し、ステム４０と棒体４４との中間部に垂下させている。更に、頂板部５３の上面からは噴出ヘッドＢ２ｂを着脱可能に嵌着させる嵌着筒部５５を立設している。
【００２６】
シール部材は、大径のシリンダ５１に嵌着した嵌合筒部６１の下端より内方へ延設したフランジ６２を介して下方へシール筒６３を垂設し、シール筒６３の下端部に、液供給用のシリンダＢ１ｂの大径部３０ａ内周に摺動可能な、環状のシール片６４を突設している。嵌合筒部６１の外周下端部には上向きの係合段部６５を周設し、固定吸引部Ｂ１の案内筒２３内周上部に形成した下向きの係止段部２４に係合して上方への抜け出しを防止している。
【００２７】
噴出ヘッドＢ２ｂは、本体部Ｂ２ａに対して着脱自在に装着されたもので、図２に示す如く、ケーシング７０と、ノズルチップ８０と、メッシュ部材９０とを備えている。
【００２８】
ケーシング７０は、周壁７１の上端縁より頂壁７２を延設した下端開口の有頂筒状をなし、頂壁７２の中央部に嵌合筒７３を垂設している。また、ケーシング７０の前面上部より内方へ、ノズルチップ８０を嵌合するための環状溝７４を穿設した突部を設け、環状溝７４は嵌合筒７３内と連通させている。
【００２９】
ノズルチップ８０は、後端を開口した前端閉塞の筒状をなし、内面に霧を形成するための溝を備えた公知形態のもので、前壁中央に噴霧孔８１を穿設している。そして、ノズルチップ８０を環状溝７４内に嵌着した状態で、嵌合筒７３内から噴霧孔８１に至る液通路が形成される。
【００３０】
メッシュ部材９０は、嵌合筒７３に嵌着させたメッシュ支持筒９１の下端面にメッシュ９２を張設している。メッシュ９２は合成樹脂、金属等で形成されている。図１及び２の例では、メッシュ支持筒９１が嵌合筒７３の内周から嵌合筒７３の下面に嵌合するＬ字状の縦断面形状を備えたものを採用している。
【００３１】
そして、上記の如く構成した噴出ヘッドＢ２ｂは、図１に示す如く、シール部材６０の嵌合筒部６１外周にケーシング周壁７１を着脱可能に嵌合させるとともに、シリンダ部材５０の嵌着筒部５５内周に嵌合筒７３を液密且つ着脱可能に嵌合させ、本体部Ｂ２ａに対して噴出ヘッドＢ２ｂを着脱可能に装着している。
【００３２】
上記の如く構成された液体噴出器１を使用する場合について説明する。噴出ヘッドＢ２ｂを押圧して可動噴出部Ｂ２を押し下げると、当初吐出弁４５は閉じているが、小径の液供給用のシリンダＢ１ｂと大径のシリンダ５１との径差に起因する荷重変化によりステム４０が大径のシリンダ５１に対して牽いてはシリンダ部材５０に対して相対的に下降して吐出弁４５が開き、液供給用のシリンダＢ１ｂ内、ステム４０内、大径のシリンダ５１内の加圧液体は、吐出弁４５からメッシュ９２を通り嵌合筒７３を介して噴霧孔８１より霧状に噴出される。内部の液が所定量噴霧されることで内圧が減少するとステム４０がシリンダ部材５０に対して相対的に上昇して吐出弁４５が閉じる。
【００３３】
可動噴出部Ｂ２の押圧を解除すれば、コイルスプリングｓの作用で可動噴出部Ｂ２が固定吸引部Ｂ１に対して上昇し、それに伴って、液供給用のシリンダＢ１ｂ内が負圧化するため、吸込み弁３２が開いて容器体Ａ内の液が液供給用のシリンダＢ１ｂ内に導入される。
【００３４】
メッシュ９２の洗浄を行いたい場合には、図２に示す如く、本体部Ｂ２ａより噴出ヘッドＢ２ｂを取り外し、次いで、そのまま或いは要すればメッシュ部材９０をケーシング７０から取り外して洗浄することができる。
【００３５】
図４は他の例を示すもので、図１の例に於いて、メッシュ部材９０の構成が相違する例を示す。本例では、メッシュ部材９０のメッシュ支持筒９１が円筒状をなしている。そして、ケーシング７０の嵌合筒７３内周に設けた下向き段部７５にメッシュ支持筒９１の上面を係止して、嵌合筒７３内周にメッシュ支持筒９１を嵌着することで、メッシュ部材９０を噴出ヘッドＢ２ｂに装着している。その他の構成は図１の例と同様であるため説明を省略する。尚、本例ではメッシュ９２をメッシュ支持筒９１の下端面に張設したメッシュ部材９０の例について説明したが、メッシュ支持筒９１の上端にメッシュ９２を張設したメッシュ部材９０を同様に装着しても良く、メッシュ９２の張設部位は上端面でも下端面でも、端面であれば良い。
【００３６】
図５は更に他の例を示す。本例では図１の例と比較してポンプＢの形態が相違し，またメッシュ部材９０の形態が相違するが、類似部分もあるので相違点のみを説明し、類似部分は同符号を付して説明を省略する。
【００３７】
本例では固定吸引部Ｂ１を構成する液供給用のシリンダＢ１ｂと装着キャップＢ１ａとを別部材で構成している。液供給用のシリンダＢ１ｂは上端よりフランジ３５を延設し、フランジ３５をパッキンを介して口頸部１２上面に載置して装着している。また、液供給用のシリンダＢ１ｂの上部の大径部３０ａに可動噴出部Ｂ２の小径のピストン４１を摺動可能に嵌合させている。また、液供給用のシリンダＢ１ｂ内下部には整流用の棒状体３６を液の流通が可能に起立支持させている。装着キャップＢ１ａは、頂板２２の上面より内側案内筒２５及び外側案内筒２６を立設しており、頂板２２により液供給用のシリンダＢ１ｂのフランジ３５を口頸部１２上に押圧係止している。
【００３８】
可動噴出部Ｂ２の本体部Ｂ２ａは、ステム４０を第１部材４０ａ及び第２部材４０ｂの二部材で構成しており、第１部材４０ａは、上部が小径で、下端外周に小径のピストン４１を突設した下部筒部４６の上端に棒体４４を起立し、その先端を吐出弁体４４ａとして構成している。また、第２部材４０ｂは、下部筒部４６上方の小径部分外周に下部を嵌着した下部を嵌着した上部筒部４７を備え、上部筒部４７と棒体４４の間には隙間を設けている。また、上部筒部４７の上端より大径のピストン４２を突設している。更に、上部筒部４７の下端部よりシール片４８を突設している。第１部材の下部筒部４６の上端部には透孔４９を穿設し、下部筒部４６内より透孔４９を介して棒体４４と上部筒部４７との隙間を通り吐出口５２に至る液流路を形成している。従って、筒状のステム４０は下部筒部４６と上部筒部４７とで構成していることとなる。
【００３９】
シリンダ部材５０は、大径のピストン４２が摺動する大径のシリンダ５１を頂板部５３の周縁より下方へ垂設し、頂板部５３の中央に開口した吐出口５２に吐出弁体４４ａを圧接閉塞して弁座である吐出口５２と吐出弁体４４ａとで吐出弁４５を構成している。また、頂板部５３の上面からは噴出ヘッドＢ２ｂを着脱可能に嵌着させる嵌着筒部５５を立設している。更に、頂板部５３の上面周縁部から筒５６を起立している。大径のシリンダ５１の外周下端部に環状で上向きの係合段部５７を形成しており、この係合段部５７を内側案内筒２５の内周上端部に形成した下向きの係止段部２７に係止させて上方への抜け出しを防止している。
【００４０】
噴出ヘッドＢ２ｂは、ケーシング周壁７１を内側案内筒２５と外側案内筒２６との間にその下端部を上下動可能な位置に垂下している。
【００４１】
メッシュ部材９０は、メッシュ支持筒９１が図４の例と比較して丈の短いリング状をなしている。そして、ケーシング７０の嵌合筒７３内周に設けた下向き段部７５にメッシュ支持筒９１の上面を係止して、嵌合筒７３の内周上部にメッシュ支持筒９１を嵌着することで、メッシュ部材９０を噴出ヘッドＢ２ｂに装着している。尚、この場合もメッシュ９０の張設部位は上端面でも下端面でも、端面であれば良い。
【００４２】
そして、上記の如く構成した噴出ヘッドＢ２ｂは、図５に示す如く、シリンダ部材５０の嵌着筒部５５外周に嵌合筒７３を液密且つ着脱可能に嵌合させて、本体部Ｂ２ａに対して着脱可能に噴出ヘッドＢ２ｂを装着している。その際、嵌着筒部５５の上端でメッシュ部材９０の下面を係止している。
【００４３】
尚、上記各部材は特に断りのないかぎり主として合成樹脂により形成され、必要に応じて金属或いは柔軟性のあるエラストマー等を併用することも可能である。また、メッシュ９２については、メッシュ部材９０のメッシュ支持筒９１に複数張設しても良い。
【符号の説明】
【００４４】
１：液体噴出器
Ａ：容器体
１０…胴部、１１…肩部、１２…口頸部
Ｂ：ポンプ
Ｂ１：固定吸引部
Ｂ１ａ：装着キャップ
２１…装着筒、２２…頂板、２３…案内筒、２４…係止段部、２５…内側案内筒、
２６…外側案内筒、２７…係止段部
Ｂ１ｂ：シリンダ
３０ａ…大径部、３０ｂ…小径部、３１…外気導入孔、３２…吸込み弁、３３…連結筒、３４…吸上げパイプ、３５…フランジ、３６…棒状体
Ｂ２：可動噴出部
Ｂ２ａ：本体部
４０：ステム
４０ａ…第１部材、４０ｂ…第２部材、４１…小径のピストン、
４２…大径のピストン、４３…放射状のリブ、４４…棒体、４４ａ…吐出弁体、
４５…吐出弁、４６…下部筒部、４７…上部筒部、４８…シール片、４９…透孔
５０：シリンダ部材
５１…大径のシリンダ、５２…吐出口、５３…頂板部、５４…隙間調整筒、
５５…嵌着筒部、５６…筒、５７…係合段部
６０：シール部材
６１…嵌合筒部、６２…フランジ、６３…シール筒、６４…シール片、６５…係合段部
Ｂ２ｂ：噴出ヘッド
７０：ケーシング
７１…周壁、７２…頂壁、７３…嵌合筒、７４…環状溝、７５…下向き段部
８０：ノズルチップ
８１…噴霧孔
９０：メッシュ部材
９１…メッシュ支持筒、９２…メッシュ
ｓ：コイルスプリング
【図１】
0005839816.tif 000002
【図２】
0005839816.tif 000003
【図３】
0005839816.tif 000004
【図４】
0005839816.tif 000005
【図５】
0005839816.tif 000006